(57)【特許請求の範囲】
【請求項１】
ろ材をガイドロールとろ材フェンスとの間で挟持しつつ送っていくようにした空調用ロールフィルタ装置において、
装置本体に設けた第１の貫通孔を貫通するガイドロール軸を有しており、
前記ガイドロールの一方端部又は両端部には、前記ガイドロール軸の先端形状に対応した孔が設けられており、
前記ガイドロールの一方端部又は両端部に設けられた孔に前記ガイドロール軸の先端を嵌め込むことにより、前記ガイドロール軸が前記ガイドロールの一方端部又は両端部に設けたスプリングを利用した着脱構造によって前記ガイドロール側に付勢され、前記ガイドロールが前記装置本体に着脱可能に装着されるようにしたことを特徴とする空調用ロールフィルタ装置。
【請求項２】
ガイドロール軸を固定する固定金具が装置本体に設けられており、
前記固定金具には前記ガイドロール軸が貫通する第２の貫通孔が形成され、前記第２の貫通孔の貫通方向に形成された前記装置本体の第１の貫通孔を通して前記ガイドロール軸が前記装置本体内側に突出するようになっており、
前記固定金具の内側面には、前記ガイドロール軸周りに設けたコイルバネの一端が固定され、前記コイルバネの他端はガイドロール軸自体に止着されており、
前記ガイドロール軸が前記コイルバネの作用によって前記ガイドロール側に付勢されるようにしたことを特徴とする請求項１記載の空調用ロールフィルタ装置。
【請求項３】
前記ガイドロールの一方端部にスプリングを利用した着脱構造を設ける共に、前記ガイドロールの他方端部を前記装置本体に回動可能に取り付けたことを特徴とする請求項１又は２のいずれかに記載の空調用ロールフィルタ装置。
【請求項４】
前記ろ材フェンスが波形状の開孔板で構成されてなることを特徴とする請求項１〜３のいずれかに記載の空調用ロールフィルタ装置。
【発明の詳細な説明】
【０００１】
【発明の属する技術分野】
本発明は、ろ材をガイドロールとろ材フェンスとの間で挟持しつつ送っていくようにした空調用ロールフィルタ装置に関する。詳細にはろ材ロールの交換作業を効率的に行うことができ、しかも運転時におけるろ材とろ材フェンスとの密着性を損なうことが少ない空調用ロールフィルタ装置に関する。
【０００２】
【従来の技術及び発明が解決しようとする課題】
空調用ロールフィルタ装置は、長尺なろ材ロールを装置本体の一端に収納し、他端側でこれを巻き取るという構造を有し、巻き出されたろ材の集じん面が汚染されるにしたがって、前記ろ材ロールから新たなろ材を巻き出していくと共に、汚染されたろ材を他端側で巻き取っていくという繰り返しによって、常に集じん効率の高い集じん面でじん埃の除去がなされるようにしたものである。
【０００３】
図５に示すように、ろ材ロールから巻き出されたろ材Ｆは、ガイドロール２とろ材フェンス３との間で挟持されつつ送られるようになっているが、従来の空調用ロールフィルタ装置にあっては、装置本体の一端側から他端側に直線状に送られるため、そのろ材Ｆにより形成される集じん面は平面状となっていた。
【０００４】
近年、ろ材を直線状に送るようにしたもの（平面状の集じん面を形成するタイプ）から、処理風量の多い波形状の集じん面を形成するように、ろ材Ｆを空気流入方向に対して前後に鋭角に屈曲させて送るようにしたものに改良がなされている。
【０００５】
ところが、この波形状の集じん面を形成するタイプの場合、図６に示すように、ろ材ロールの交換に際して、略Ｖ状に設けられた屈曲部分のろ材フェンス３とガイドロール２との間が狭くなっているために、この間にろ材Ｆを通すことは難しく、ろ材ロールの交換作業には多くの時間と手間とを要していた。
【０００６】
この交換時における作業性を改善するため、図７に示すように、屈曲部分を広く設けたもの、すなわち屈曲部分のろ材フェンス３とガイドロール２との間隔を広くとったものも提案されている。しかしながらこのタイプの場合、ろ材Ｆとろ材フェンス３との密着性が不十分となり、ろ材Ｆの送りがスムーズに行かないといった不具合を生じていた。
【０００７】
本発明は、このような事情に鑑みなされたものであり、ろ材ロールの交換作業を効率的に行うことができ、しかも運転時におけるろ材とろ材フェンスとの密着性を損なうことが少ない空調用ロールフィルタ装置を提供することを目的とするものである。
【０００８】
【課題を解決するための手段】
上記目的を達成するため、請求項１記載の発明は、ろ材をガイドロールとろ材フェンスとの間で挟持しつつ送っていくようにした空調用ロールフィルタ装置において、
装置本体に設けた第１の貫通孔を貫通するガイドロール軸を有しており、
前記ガイドロールの一方端部又は両端部には、前記ガイドロール軸の先端形状に対応した孔が設けられており、
前記ガイドロールの一方端部又は両端部に設けられた孔に前記ガイドロール軸の先端を嵌め込むことにより、前記ガイドロール軸が前記ガイドロールの一方端部又は両端部に設けたスプリングを利用した着脱構造によって前記ガイドロール側に付勢され、前記ガイドロールが前記装置本体に着脱可能に装着されるようにしたことを特徴とする空調用ロールフィルタ装置をその要旨とした。
【０００９】
請求項２記載の発明は、ガイドロール軸を固定する固定金具が装置本体に設けられており、
前記固定金具には前記ガイドロール軸が貫通する第２の貫通孔が形成され、前記第２の貫通孔の貫通方向に形成された前記装置本体の第１の貫通孔を通して前記ガイドロール軸が前記装置本体内側に突出するようになっており、
前記固定金具の内側面には、前記ガイドロール軸周りに設けたコイルバネの一端が固定され、前記コイルバネの他端はガイドロール軸自体に止着されており、
前記ガイドロール軸が前記コイルバネの作用によって前記ガイドロール側に付勢されるようにしたことを特徴とする空調用ロールフィルタ装置をその要旨とした。
【００１０】
請求項３記載の発明は、ガイドロールの一方端部にスプリングを利用した着脱構造を設ける共に、前記ガイドロールの他方端部を前記装置本体に回動可能に取り付けたことを特徴とする空調用ロールフィルタ装置をその要旨とした。
【００１１】
請求項４記載の発明は、ろ材フェンスが波形状の開孔板で構成されてなることを特徴とする空調用ロールフィルタ装置をその要旨とした。
【００１２】
【発明の実施の形態】
以下、本発明の空調用ロールフィルタ装置（以下単にフィルタ装置という）を図面に示した一実施の形態にしたがって詳細に説明する。本発明のフィルタ装置において、ろ材ロール１０は、装置本体１１内側の一端側に収納されている。このろ材ロール１０は所定の集じん効率（例えばＡ．Ｆ．Ｉ質量法で８５％以上のもの）と巻取時に加わる引張力に対抗し得る引張強度とを備えたろ材をロール状に巻回したものである。
【００１３】
このろ材ロール１０から巻き出されたろ材Ｆは、装置本体１１内側の他端側に配された駆動モータ１４、チェーン、ベルトなどの伝達装置１５を介して回転する巻取ロール１６に巻き取られるようになっている。また、ろ材ロール１０から巻き出されたろ材Ｆは、装置本体１１内側の一端側のろ材ロール１０から装置本体１１内側の他端側の巻取ロール１６までの間を、波形状に設けたろ材フェンス１３とガイドロール１２との間で挟持されつつ送られ、波形状の集じん面を形成するようになっている。尚、フィルタ装置の構造は、図面に示したものに限らず、当該フィルタ装置に要求される性能の大小、使用形態などを考慮して適宜決定すればよい。
【００１４】
このフィルタ装置において、ガイドロール１２は、装置本体１１に着脱可能に装着されている。このため、ろ材ロール１０の交換は、ガイドロール１２全体または一方端部を装置本体１１から取り外し、ろ材Ｆをろ材フェンス１３に沿って配置し、再びガイドロール１２を装置本体１１に装着するといった手順で簡単に行うことができるのである。
【００１５】
図２及び図４は、ガイドロール１２両端部にスプリングを利用した着脱構造を設けて、前記ガイドロール１２を装置本体１１から取り外し可能とした形態を示している。図２及び図４において、ガイドロール軸１８は、略コ字型の固定金具２１によって装置本体１１に固定されている。この固定金具２１の中央にはガイドロール軸１８が貫通する貫通孔２２が形成され、その貫通方向に形成した装置本体１１の貫通孔２３を通して、ガイドロール軸１８の先端が装置本体１１内側に突出するようになっている。また固定金具２１中央の内側面には、ガイドロール軸１８周りに設けたコイルバネ１７（スプリング）の一端が固定され、同コイルバネ１７の他端はガイドロール軸１８自体にピン止めされており、ガイドロール軸１８は前記コイルバネ１７の作用でガイドロール１２側に付勢されている。
【００１６】
一方、ガイドロール１２の両端部にはそれぞれ前記ガイドロール軸１８の先端形状に対応した孔１９が設けられ、この孔１９に前記ガイドロール軸１８の先端を嵌め込むことで、装置本体１１にガイドロール１２を装着できるようになっている。このとき、ガイドロール１２は、前述の如くコイルバネ１７の作用でガイドロール１２側に付勢されたガイドロール軸１８によって押圧されるので、当該装置の運転時や運搬時などに、ガイドロール軸１８の先端がガイドロール１２両端部の孔１９から外れてしまう恐れはなく、ガイドロール１２は装置本体１１に確実に装着されるようになっている。
【００１７】
一方、ガイドロール１２の取り外しは、ガイドロール軸１８に設けた摘み２０を持って、ガイドロール１２とは反対側方向にガイドロール軸１８をコイルバネ１７の付勢力に抗して引き出し、先端をガイドロール１２の孔１９から引き抜くことで簡単に行うことができる。
【００１８】
尚、この形態では、ガイドロール軸１８をガイドロール１２側に付勢する手段（スプリング）としてコイルバネを用いたが、フィルタ装置の規模や要求される付勢力に応じて、板バネなどの他の弾性体で代用することもできる。
【００１９】
また図３に示す形態は、ガイドロールの一方端部のみを装置本体１１から取り外し可能とし、前記ガイドロールの他方端部を中心に回動させるようにした形態を示している。図３に示すフィルタ装置におけるガイドロールの一方端部に設けたスプリングを利用した着脱構造は、図２及び図４に示したものと同じであるため、ここでの説明は割愛する。
【００２０】
ガイドロール１２の他方端部は、同端部に形成した取付孔（図示しない）に装置本体１１に固定した回動軸２４を貫通させることによって取り付けられており、前記ガイドロール１２の一方端部を装置本体１１から取り外したとき、ガイドロール１２が、この回動軸２４周りに回動できるようになっている。
【００２１】
尚、前述のスプリングを利用した着脱構造は、図２〜図４に示したものの他に、例えばガイドロール両端部にスプリングを介して外側方に突設させた回転軸を、装置本体に固定した軸受け穴に嵌め込むことで、ガイドロールを装置本体に装着できるようにしたものなど、当該フィルタ装置の種類や大きさ、ろ材ロールの種類、厚みや大きさ、使用形態などを考慮して自由に設計することができる。
【００２２】
尚、本発明のフィルタ装置において、前記ガイドロールを装置本体に着脱可能に装着するための構造は、上記図２〜図４に例示したものに限定されず、特許請求の範囲に記載された範囲内で自由に変更することができる。
【００２３】
さらにろ材フェンスとして、金属やプラスチックなどの板状材料に、空調用ロールフィルタ装置に要求される性能、使用状態を考慮した所定の開孔率で開孔を設けた開孔板を用いることができる。
【００２４】
【発明の効果】
本発明のフィルタ装置は、ろ材をガイドロールとろ材フェンスとの間で挟持しつつ送っていくようにした空調用ロールフィルタ装置において、前記ガイドロールを装置本体から、ろ材ロールの交換は、ガイドロール全体または一方端部を装置本体から取り外し、ろ材をろ材フェンスに沿って配置し、再びガイドロールを装置本体に装着するといった手順で簡単に行うことができる。このため、ろ材ロールの交換作業を効率的に行うことができ、しかも運転時におけるろ材とろ材フェンスとの密着性を損なうことがない。
【図面の簡単な説明】
【図１】本発明のフィルタ装置の全体を示した平面図。
【図２】本発明のフィルタ装置におけるガイドロールの着脱構造を示した正面図。
【図３】本発明のフィルタ装置におけるガイドロールの着脱構造の別例を示した正面図。
【図４】本発明のフィルタ装置におけるスプリングを利用した着脱構造の要部拡大図。
【図５】従来のフィルタ装置において、ろ材を直線状に送る構造を示した要部拡大図。
【図６】従来の別のフィルタ装置において、波形状の集じん面を形成するように、ろ材を屈曲させて送るようにした構造を示した要部拡大図。
【図７】従来の別のフィルタ装置において、波形状の集じん面を形成するように、ろ材を屈曲させて送るようにした構造の別例を示した要部拡大図。
【符号の説明】
１０・・・ろ材ロール
１１・・・装置本体
１２・・・ガイドロール
１３・・・ろ材フェンス
１７・・・コイルバネ
１８・・・ガイドロール軸
１９・・・孔
２４・・・回動軸
Ｆ・・・ろ材
【図１】
0004126627.tif 000002
【図２】
0004126627.tif 000003
【図３】
0004126627.tif 000004
【図４】
0004126627.tif 000005
【図５】
0004126627.tif 000006
【図６】
0004126627.tif 000007
【図７】
0004126627.tif 000008